(57)【要約】【課題】装飾部材による光演出を効果的に行うことが可能な弾球遊技機の提供を目的とする。【解決手段】本発明に係るパチンコ遊技機では、装飾部材としてのサイドランプ２２内に進入した遊技球は、発光体としてのＬＥＤ６２より後方側を通過するので、ＬＥＤ６２の光が、サイドランプ２２内を通過する遊技球によって妨げられることがない。これにより、サイドランプ２２，２２による光演出をより効果的に行うことができる。しかも、遊技球が遊技盤１１上を下方向に流下するだけでなく遊技盤１１の前後方向にも転動されるので、前後方向に転動した分だけ、遊技球が通過樋８０から排出されるまでに時間を要し、流下態様に変化をもたせることができる。【選択図】  図７
2004147860.tif 000002
【特許請求の範囲】
【請求項１】
遊技球が打ち出される遊技領域が形成された遊技盤と、
前記遊技領域に設けられて、内部に発光体を収容した装飾部材とを備えた弾球遊技機において、
前記装飾部材には、前記遊技領域から前記発光体の後方側へ遊技球を誘導する入球部と、前記発光体の後方側に設けられて遊技球が通過する通過樋と、前記通過樋を通過した遊技球を前記遊技領域に排出する出球部とからなる遊技球通過領域が設けられたことを特徴とする弾球遊技機。
【請求項２】
前記装飾部材は、前記遊技盤に前記装飾部材を取り付けるための取付体と、前記取付体に組み付けられて前記発光体の前方側を覆うと共に光を透過するカバー体と、前記取付体の前側でかつ前記発光体の後方側に配設された板部材とを備えたことを特徴とする請求項１に記載の弾球遊技機。
【請求項３】
前記通過樋は、前記保護部材と前記取付体との間に形成されたことを特徴とする請求項２に記載の弾球遊技機。
【請求項４】
前記通過樋は、前記保護部材と前記取付体とから構成されたことを特徴とする請求項２又は３に記載の弾球遊技機。
【請求項５】
前記板部材は、前記発光体の後方側を覆い、前記発光体を保護する保護部材であることを特徴とする請求項２乃至４の何れかに記載の弾球遊技機。
【請求項６】
前記取付体には、前記発光体から延びた導電部材を挿通可能な貫通孔が形成されたことを特徴とする請求項２乃至５の何れかに記載の弾球遊技機。
【請求項７】
前記装飾部材は、前記遊技領域の側端部に配置されたことを特徴とする請求項１乃至６の何れかに記載の弾球遊技機。
【請求項８】
前記遊技盤には、前記遊技領域と内側と外側とを区画するガイドレールが設けられ、
前記装飾部材は、前記ガイドレールに沿った縦長の円弧状でありかつ前記発光体はその長手方向に沿って複数設けられたことを特徴とする請求項７に記載の弾球遊技機。
【請求項９】
前記入球部は、前記装飾部材における上端部に配置される一方、前記出球部は、前記装飾部材における下端部に配置されたことを特徴とする請求項１乃至８の何れかに記載の弾球遊技機。
【請求項１０】
前記入球部には、前記遊技領域を流下した遊技球が衝突して受け止められる受壁を設けたことを特徴とする請求項１乃至９の何れかに記載の弾球遊技機。
【請求項１１】
前記遊技盤のうち前記装飾部材が取り付けられる部位には、装飾部材取付孔が形成され、
前記通過樋の少なくとも一部を、前記遊技盤の前面より前記装飾部材取付孔の奥側に配置したことを特徴とする請求項１乃至１０に記載の弾球遊技機。
【請求項１２】
前記装飾部材の前面には、遊技球の通過を防ぐ前面突出部が突出形成されたことを特徴とする請求項１乃至１１の何れかに記載の弾球遊技機。
【発明の詳細な説明】
【０００１】
【発明の属する技術分野】
本発明は、パチンコ遊技機に代表される弾球遊技機に関する。
【０００２】
【従来の技術】
弾球遊技機には、発光体を内蔵した装飾部材を遊技領域内に備えたものがある。このような発光体内蔵の装飾部材は、一般には遊技盤から膨出して設けられるため、遊技領域のうち装飾部材を設けた部分を遊技球が流下することができなくなる。これに対し、従来の弾球遊技機として、装飾部材の前側に遊技球が通過可能な通路を設けたものが知られている（例えば、特許文献１を参照）。
【０００３】
【特許文献１】
特許第２７７３０３５号公報（段落［０００９］、第５図）
【０００４】
【発明が解決しようとする課題】
ところが、上述した従来の弾球遊技機では、遊技球の通路が発光体より前側に設けられているので、遊技球の通過によって発光体の光が遮られ、装飾部材による光演出を効果的に行うことができなかった。
【０００５】
本発明は上記事情に鑑みてなされたもので、装飾部材による光演出を効果的に行うことが可能な弾球遊技機の提供を目的とする。
【０００６】
【課題を解決するための手段】
本発明の請求項１に係る弾球遊技機は、遊技球が打ち出される遊技領域が形成された遊技盤と、遊技領域に設けられて、内部に発光体を収容した装飾部材とを備えた弾球遊技機において、装飾部材には、遊技領域から発光体の後方側へ遊技球を誘導する入球部と、発光体の後方側に設けられて遊技球が通過する通過樋と、通過樋を通過した遊技球を遊技領域に排出する出球部とからなる遊技球通過領域が設けられたところに特徴を有する。
【０００７】
請求項２の発明は、請求項１に記載の弾球遊技機において、装飾部材は、遊技盤に装飾部材を取り付けるための取付体と、取付体に組み付けられて発光体の前方側を覆うと共に光を透過するカバー体と、取付体の前側でかつ発光体の後方側に配設された板部材とを備えたところに特徴を有する。
【０００８】
請求項３の発明は、請求項２に記載の弾球遊技機において、通過樋は、板部材と取付体との間に形成されたところに特徴を有する。
【０００９】
請求項４の発明は、請求項２又は３に記載の弾球遊技機において、通過樋は、保護部材と取付体とから構成されたところに特徴を有する。
【００１０】
請求項５の発明は、請求項２乃至４の何れかに記載の弾球遊技機において、板部材は、発光体の後方側を覆い、発光体を保護する保護部材であるところに特徴を有する。
【００１１】
請求項６の発明は、請求項２乃至５の何れかに記載の弾球遊技機において、取付体には、発光体から延びた導電部材を挿通可能な貫通孔が形成されたところに特徴を有する。
【００１２】
請求項７の発明は、請求項１乃至６の何れかに記載の弾球遊技機において、装飾部材は、遊技領域の側端部に配置されたところに特徴を有する。
【００１３】
請求項８の発明は、請求項７に記載の弾球遊技機において、遊技盤には、遊技領域と内側と外側とを区画するガイドレールが設けられ、装飾部材は、ガイドレールに沿った縦長の円弧状でありかつ前記発光体はその長手方向に沿って複数設けられたところに特徴を有する。
【００１４】
請求項９の発明は、請求項１乃至８の何れかに記載の弾球遊技機において、入球部は、装飾部材における上端部に配置される一方、出球部は、装飾部材における下端部に配置されたところに特徴を有する。
【００１５】
請求項１０の発明は、請求項１乃至９の何れかに記載の弾球遊技機において、入球部には、遊技領域を流下した遊技球が衝突して受け止められる受壁を設けたところに特徴を有する。
【００１６】
請求項１１の発明は、請求項１乃至１０の何れかに記載の弾球遊技機において、遊技盤のうち装飾部材が取り付けられる部位には、装飾部材取付孔が形成され、通過樋の少なくとも一部を、遊技盤の前面より装飾部材取付孔の奥側に配置したところに特徴を有する。
【００１７】
請求項１２の発明は、部請求項１乃至１１の何れかに記載の弾球遊技機において、装飾部材の前面には、遊技球の通過を防ぐ前面突出部が突出形成されたところに特徴を有する。
【００１８】
【発明の作用及び効果】
＜請求項１，２，７及び８の発明＞
請求項１の弾球遊技機では、装飾部材に遊技球が通過する通過樋が形成されたので、遊技領域のうち、装飾部材を設けた部分を遊技球が通過することができる。しかも、通過樋は発光体の後方側に形成されたので、通過樋を通過する遊技球によって発光体の光が遮られることがない。これにより、装飾部材による光演出を効果的に行うことができる。
【００１９】
また、装飾部材は、遊技盤に装飾部材を取り付けるための取付体と、取付体に組み付けられて発光体の前方側を覆うと共に光を透過するカバー体と、取付体の前側でかつ発光体の後方側に配設された板部材とを備えた構成としてもよい（請求項２の発明）。ここで、装飾部材は、遊技領域の側端部に配置してもよい（請求項７の発明）。この場合、装飾部材をガイドレールに沿った縦長の円弧状とし、その長手方向に沿って発光体を複数設けることができる（請求項８の発明）。
【００２０】
＜請求項３の発明＞
請求項３の弾球遊技機では、通過樋を板部材と取付体との間に形成することで、板部材と取付体との間の有効利用が図られる。なお、板部材と取付体との間には通過樋を複数設けた構成とすることも可能である。
【００２１】
＜請求項４の発明＞
請求項４の弾球遊技機では、通過樋を板部材と取付体とから構成したので、板部材が、通過樋の一部となり、通過樋と別に板部材を設けた場合に比べて部材数を減らすことができる。
【００２２】
＜請求項５の発明＞
請求項５の弾球遊技機では、発光体は後方側を保護部材で覆われているので、遊技球が発光体に接触することを防ぐことができる。
＜請求項６の発明＞
請求項６の弾球遊技機では、発光体から延びた導電部材を取付体に形成した貫通孔を通して、容易に弾球遊技機の本体に備えた回路に接続することができる。
【００２３】
＜請求項９の発明＞
請求項９の弾球遊技機では、装飾部材の上端部に入球部が配置され、下端部に出球部が配置されたので、装飾部材の上端部で遊技球を遊技領域から通過樋内部に取り込み、装飾部材の下端部で遊技球を通過樋から遊技領域に排出することができる。
【００２４】
＜請求項１０の発明＞
請求項１０の弾球遊技機では、入球部には、遊技領域を流下した遊技球が衝突して受け止められる受壁が形成されたので、通過樋に入球する前に遊技球の勢いを落とすことができる。
【００２５】
＜請求項１１の発明＞
請求項１１の弾球遊技機では、遊技盤に装飾部材取付孔を形成し、通過樋の少なくとも一部を遊技盤の前面より装飾部材取付孔の奥側に配置したので、遊技球を遊技盤に対して前後方向に転動させることができる。このとき、前後方向に転動した分だけ、遊技球が出球部に到達するまでに時間を要し、流下態様に変化をもたせることができる。
【００２６】
＜請求項１２の発明＞
請求項１２の弾球遊技機では、装飾部材の前面に前面突出部を突出形成して遊技球の通過を防いだので、装飾部材の前方側を遊技球が通過して発光体の光が遮ることを確実に防ぐことができる。これにより、装飾部材の光演出をより一層効果的に行うことができる。
【００２７】
【発明の実施の形態】
以下、本発明を適用したパチンコ遊技機に係る一実施形態を、図１〜図９に基づいて説明する。図１に示すように、本実施形態のパチンコ遊技機の遊技盤１１には、ガイドレール１２で囲まれたほぼ円形の遊技領域Ｒ１が形成され、遊技領域Ｒ１の中央部に、表示装置１３が備えられている。遊技領域Ｒ１のうち表示装置１３の下方には、始動入賞口１４、大入賞口１５及び外れ球受け入れ口１６が、上から順に間隔を開けて並べて設けられている。また、遊技領域Ｒ１のうち表示装置１３等を挟んだ左右の両側には、上から順に、ランプ風車１７、始動ゲート１８、風車１９、一般入賞口２０，２１が設けられ、遊技領域Ｒ１全体に亘って、図示しない複数の障害釘が起立している。さらに、ガイドレール１２に沿った両側端部には、本発明の「装飾部材」に相当するサイドランプ２２，２２が設けられている。
【００２８】
パチンコ遊技機のうち遊技盤１１より下方には、上皿２７Ａ及び下皿２７Ｂが上下２段にして設けられている。そして、下皿２７Ｂの右端部に設けた操作ノブ２８を操作することで、上皿２７Ａに収容された遊技球が遊技盤１１に向けて弾き出される。また、上皿２７Ａに設けたボタン２９を押せば、上皿２７Ａから下皿２７Ｂに遊技球が移動して収容される。さらに、上皿２７Ａを挟んだ両側には、スピーカ５９Ｓが備えられている。
【００２９】
次に所要の各部位についてさらに詳説する。
始動ゲート１８は、遊技球が潜って通過可能な門形構造をなし、通過した遊技球は、その始動ゲート１８に内蔵した普通図柄始動スイッチ３０（図３参照）によって検出される。そして、その検出信号に基づいて、後述する普通図柄表示領域２４の図柄が変動表示される。
【００３０】
始動入賞口１４は、所謂、ポケット構造をなして上方に向かって開口しており、その開口の両側部には可動翼片１４Ｃ，１４Ｃが備えられている。これら両可動翼片１４Ｃ，１４Ｃは、常には起立状態になっており、両可動翼片１４Ｃ，１４Ｃに挟まれた始動入賞口１４の開口幅は、遊技球が約１つ入る大きさになっている。そして、遊技盤１１の裏に設けたソレノイドが駆動されると、可動翼片１４Ｃ，１４Ｃが横に倒され、遊技球が可動翼片１４Ｃに案内されて始動入賞口１４に入り得る状態になる。
【００３１】
始動入賞口１４に遊技球が入賞すると、始動入賞口１４内に設けた特別図柄始動スイッチ３１（図３参照）が遊技球を検出し、その検出信号に基づいて表示装置１３が後述するように図柄を変動表示する。なお、表示装置１３が図柄を変動表示している間に、始動入賞口１４に入賞した入賞球は、４個まで保留記憶される。
【００３２】
大入賞口１５は、横長に形成されて、常には、可動扉１５Ｔにて閉塞されている。そして、後述する所定条件の成立によって、パチンコ遊技機が「大当たり状態」になると、遊技盤１１の裏に設けたソレノイド１５Ｓ（図３参照）が駆動され、可動扉１５Ｔが所定期間に亘って前側に倒れる。これにより、大入賞口１５が開放され、可動扉１５Ｔを案内にして、大入賞口１５に多くの遊技球が入賞可能になる。ここで、可動扉１５Ｔが、開放してから閉じるまでの間を「ラウンド」と称すると、１つのラウンドは、可動扉１５Ｔの開放時間が２９秒に達したか、又は、大入賞口１５に遊技球が１０個入賞したか、の何れかの条件が先に満たされた場合に終了する。
【００３３】
大入賞口１５の内部には、継続入賞口と計数入賞口とが設けられており、これら継続入賞口及び計数入賞口が開放される。より詳細には、可動扉１５Ｔが開いたときには、継続入賞口は開放しており、継続入賞口に入賞後、ソレノイド１５Ｓが駆動されて、継続入賞口が閉鎖される一方、計数入賞口は開放されたままとなる。そして、継続入賞口内に設けた大当たり状態継続スイッチ３２（図３を参照）が遊技球の入賞を検出すると、前述した終了条件を満たしてラウンドが終了した後で、連続して次のラウンドが実行される。また、計数入賞口内に設けた入賞球数カウントスイッチ３３（図３参照）が遊技球の入賞を検出すると、前記継続入賞口への入賞球と合わせて、大入賞口１５への入賞球がカウントされ、これらが前記したように計１０個に達したか否かがチェックされる。
【００３４】
表示装置１３は、全体として枠形構造をなした表示枠体２３の後端面に、図示しない液晶モジュール（詳細には、ＴＦＴ−ＬＣＤモジュール）を組み付けてなる。液晶モジュールのうち表示枠体２３によって取り囲まれた前面部分は、表示部３４となっており、遊技者は、表示枠体２３を通して表示部３４に表示された画像を見ることができる。
【００３５】
表示部３４には、図１に示すように、通常は、３つの左、中、右の特別図柄１３Ａ，１３Ｂ，１３Ｃが、横並びに表示されている。これら各特別図柄１３Ａ，１３Ｂ，１３Ｃは、例えば、「０」〜「１１」の数字を表記した複数種類のもので構成されており、通常は、各特別図柄１３Ａ，１３Ｂ，１３Ｃごと、所定の種類のものが、表示部３４に確定表示されている。そして、始動入賞口１４に遊技球が入賞したときに当否判定し、各特別図柄１３Ａ，１３Ｂ，１３Ｃが、上下方向にスクロールして変動表示され、所定時間後に、例えば、左、中、右の順で各特別図柄１３Ａ，１３Ｂ，１３Ｃが停止表示される。このとき、例えば、当否判定の結果が当たりで全ての特別図柄１３Ａ，１３Ｂ，１３Ｃが同じ図柄、即ち、ぞろ目になった場合に、遊技が「大当たり状態」になり、可動扉１５Ｔが開かれる。
【００３６】
表示部３４のうち、特別図柄１３Ａ，１３Ｂ，１３Ｃの表示領域の左下隅には、普通図柄表示領域２４が設けられている。この普通図柄表示領域２４は、始動ゲート１８内に設けた普通図柄始動スイッチ３０（図３参照）が遊技球の通過を検出したときに当否判定して、例えば、「０」〜「９」までの数字を所定期間に亘って変動表示した後、所定の数字を確定表示する。そして、確定表示された数字が、例えば、奇数の場合に、前記始動入賞口１４に設けた前記可動翼片１４Ｃ，１４Ｃが所定期間（例えば、０．４秒）に亘って横に倒される。
なお、普通図柄表示領域２４で表示する図柄は、数字に限るものではなく、アルファベットや記号等でもよい。
【００３７】
図２に示すように、パチンコ遊技機の後面中央には、主制御基板５０が設けられ、この主制御基板５０に重なるようにして、ランプ制御基板５５、音声制御基板５６及び図柄制御基板５７が設けられている。また、これら各基板５０，５５，５６，５７の下方には、電源基板、払出制御基板、発射制御基板等の種々の制御基板が設けられている。
【００３８】
さて、サイドランプ２２，２２は、図１に示すようにガイドレール１２に沿った縦長の円弧状をなし、図６に示すように遊技盤１１に形成された凹所９０（本発明の「装飾部材取付孔」に相当する）に組み付けられている。凹所９０は縦長の溝状をなし、奥壁９１にて奥側が閉塞されており、その奥壁９１における長手方向の中間部分には、図７の左寄り（ガイドレール１２寄り）の側部に電線挿通孔９２が貫通形成されている。
【００３９】
サイドランプ２２は、図５に示すように、取付体６０の前側にカバー体６１を備え、それらカバー体６１と取付体６０との間の空間に板部材６３及びＬＥＤ基板６４が収容してなる。
【００４０】
取付体６０は、前面が開放した溝体６５の開口縁から側方にフランジ部６６を張り出してなる。そして、図６及び図７に示すように、溝体６５を後面側から前記凹所９０に嵌合してフランジ部６６が凹所９０の開口縁に敷設され、そのフランジ部６６の上下の両端部に形成した取付孔８４，８４（図５参照）に螺子を通して、遊技盤１１にねじ止めされている。
【００４１】
より詳細には、取付体６０の溝体６５は、縦長の円弧状をなし（図５参照）、断面が「コ」の字状になっている（図７参照）。また、図５に示すように、溝体６５の上端壁６５Ｂ及び下端壁６５Ｃは共に幅方向で湾曲しており、さらに、下端壁６５Ｃは、図６に示すように、奥部から前方に向かうに従って下るように傾斜している。
【００４２】
取付体６０のフランジ６６には、図５に示すように溝体６５を挟んで左右両側に、板部材６３を取り付けるための１対の係止孔６７が形成されている。また、外寄り（ガイドレール１２寄り）の係止孔６７の上方には、縦長の電線挿通孔７８（本発明の「貫通孔」に相当する）が貫通形成され、ここに後述するＬＥＤ基板６４から延びた電線７５（本発明の「導電部材」に相当する）が通される（図７を参照）。さらに、フランジ部６６のうち外寄り（ガイドレール１２寄り）の外縁部の上下の２箇所にはカバー取付孔８３，８３が貫通形成されている。
【００４３】
板部材６３は、図５に示すように、前記溝体６５の開放口に対応した円弧状の帯板部６３Ｃを備え、帯板部６３Ｃのうち上下の両端部からは、前方に向かって上側起立壁６３Ａ及び下側起立壁６３Ｂが突出している
【００４４】
上側起立壁６３Ａは、図６に示すように帯板部６３Ｃから離れるに従って上方へ向かうように傾斜する一方、下側起立壁６３Ｂは水平に延びている。なお、上側起立壁６３Ａは、下側起立壁６３Ｂよりも前側に張り出している。
【００４５】
図５に示すように、板部材６３のうち帯板部６３Ｃの長手方向の中間部分の両側部には、１対の係止突片６８，６８が設けられている。各係止突片６８は、基端部が帯板部６３Ｃの前面から前方に突出して側方に張り出し、先端側が後方に直角曲げされている。これら係止突片６８，６８を取付体６０に設けた前記係止孔６７，６７に差し込んで、板部材６３全体を取付体６０に押し付けると、帯板部６３Ｃが溝体６５の開口部６５Ａに嵌め込まれ、その開口部６５Ａのうち長手方向の両端部を除く全体が閉塞される（図９参照）。そして、この板部材６３と溝体６５とによって四方を囲まれて本発明に係る通過樋８０（図７参照）が構成される。ここで、通過樋８０の断面は、図７に示されており、遊技球が１つ通過可能な大きさをなしている。また、図４に示すように、溝体６５の開口部６５Ａのうち、上側起立壁６３Ａより上側の部分は、遊技球の通過樋８０への球入口７６となり、下側起立壁６３Ｂより下側の部分は、通過樋８０からの球出口７７となる。
【００４６】
板部材６３のうち上側起立壁６３Ａ及び下側起立壁６３Ｂに挟まれた帯板部６３Ｃの前面には、ＬＥＤ基板６４が取り付けられる。これにより、板部材６３は、通過樋８０を構成すると共に、ＬＥＤ基板６４に備えられたＬＥＤ６２が遊技球と接触するのを防止する保護部材を構成している。ＬＥＤ基板６４は、図５に示すように、縦長の板状をなし、その長手方向に沿ってＬＥＤ６２が一列に取り付けられている。また、ＬＥＤ基板６４の長手方向の中間位置には、位置決め孔７０が形成され、板部材６３から突出した支柱６９がこの位置決め孔７０に差し込まれ、ＬＥＤ基板６４の前面側から位置決め孔７０に通した螺子を支柱６９にねじ込んで、ＬＥＤ基板６４が板部材６３に固定されている。ここで、位置決め孔７０は帯板部６３Ｃの厚さ方向に対して斜めに貫通しており、これにより、板部材６３に組み付けられたＬＥＤ基板６４は、図７に示すように、板部材６３の前面に対して斜めとなって固定されている。これにより、ＬＥＤ６２が遊技領域Ｒ１の中心方向を向き、ＬＥＤ６２の光が、遊技領域Ｒ１の中心部分に照射される。さらに、ＬＥＤ基板６４の後面からは電線７５が延びており、この配線が前述した電線挿通孔７８に通されて、遊技盤１１の裏側に備えたランプ制御基板５５（図２を参照）に接続されている。
【００４７】
カバー体６１は、図４及び図８に示すように、板部材６３及びＬＥＤ基板６４の全体を覆いかつ取付体６０の溝体６５のうち長手方向の両端部を除いた長手方向のほぼ全体を覆うようにして取り付けられている。
【００４８】
より詳細には、カバー体６１は、例えば光透過性を有する樹脂部材で構成されており、図５に示すように全体として縦長の袋構造をなしている。そして、このカバー体６１により、電線挿通孔７８及び電線挿通孔７８を通された電線７５（図７を参照）が隠されて、見栄えがよくなっている。
【００４９】
また、カバー６１は、フランジ部６６から前方に突出している。ここで、カバー体６１は、本発明の「前面突出部」にも相当し、遊技盤１１の前面を覆う図示しないガラス板とカバー体６１との隙間が、遊技球より小さくなっている。これにより、カバー体６１の前方に、遊技球が通過することできないようになっている。なお、カバー体６１は、フランジ部６６の各カバー取付孔８３，８３に裏面側から通した皿螺子にて取付体６０に固定されている。
【００５０】
図４に示すように、カバー体６１の上端面には、遊技球が通過可能な上端開口８２が形成され、その上端開口８２を通して板部材６３の上側起立壁６３Ａが上方に臨んでいる。そして、これら上端開口８２と板部材６３の上側起立壁６３Ａとにより本発明に係る入球部８１が構成されると共に、上側起立壁６３Ａが入球部８１における本発明の「受壁」を構成している。また、カバー体６１の下端面には、遊技球が通過可能な下端開口７３が形成され、これにより球出口７７が広くなっている。そして、下端開口７３と取付体６０の下端壁６５Ｃとにより本発明に係る出球部８３が構成され、これら出球部８３と入球部８１と前記通過樋８０とから本発明に係る「遊技球通過領域」が構成されている。
【００５１】
ここで、カバー体６１と板部材６３との組み付けをより詳細に説明すると以下のようになっている。図６に示すように、板部材６３の上側起立壁６３Ａは、カバー体６１の上端開口８２の略真下に配置され、さらに上側起立壁６３Ａの先端部が、カバー体６１の裏面に突き当てられている。これにより、上端開口８２に入球した遊技球が、カバー体６１とＬＥＤ基板６４との間に進入しないようになっている。
【００５２】
板部材６３の下側起立壁６３Ｂは、カバー体６１の下端開口７３の上方に配置されている。下側起立壁６３Ｂの先端部とカバー体６１の裏面との間には隙間８５が形成されており、ＬＥＤ６２の光がこの隙間８５から下端開口７３を通して下方にも照射されるようになっている。また、下側起立壁６３Ｂによって、通過樋８０を通過した遊技球が下端壁６５Ｃで弾かれた場合に、その遊技球がＬＥＤ基板６４に衝突するのを防止することができる。
【００５３】
次に、上記構成からなるパチンコ遊技機の作用・効果を説明する。
操作ノブ２８を操作することで、遊技球が連続的に遊技盤１１の遊技領域Ｒ１における上方部分に弾き出されると、それら遊技球は、障害釘、ランプ風車１７，風車１９等に当たって向きを変えられ、ランダムな経路を通って遊技領域Ｒ１の下方に向かう。そして、遊技領域Ｒ１の下方に向かう途中で、ガイドレール１２の両側部側に流下した遊技球のうち、幾つかが、サイドランプ２２の上部に形成された入球部８１に入球する。
【００５４】
入球部８１に入球した遊技球は、上端開口８２を通って板部材６３の上側起立壁６３Ａの上面に衝突して勢いが落とされる。その後上側起立壁６３Ａの傾斜によって、ＬＥＤ基板６４の後方側、即ち、通過樋８０側に向かって転がり、球入口７６から通過樋８０の内部に進入する。そして、通過樋８０内を落下し、出球部８３における下端壁６５Ｃに衝突する。
【００５５】
下端壁６５Ｃに衝突した遊技球は、ここで再び勢いを落とされる。そして、下端壁６５Ｃの傾斜によって遊技盤１１の奥側から遊技盤１１の前方に向かって転がり、球出口７７から、再び遊技領域Ｒ１に排出される。
【００５６】
このように、本実施形態によれば、サイドランプ２２内に進入した遊技球は、ＬＥＤ６２より後方側を通過するので、ＬＥＤ６２の光が、サイドランプ２２内を通過する遊技球によって妨げられることがない。これにより、サイドランプ２２，２２による光演出をより効果的に行うことができる。しかも、遊技球が遊技盤１１上を下方向に流下するだけでなく遊技盤１１の前後方向にも転動されるので、前後方向に転動した分だけ、遊技球が通過樋８０から排出されるまでに時間を要し、流下態様に変化をもたせることができる。
【００５７】
また、ＬＥＤ基板６４は、前側をカバー体６１によって、後側を板部材６３によって覆われると共に、上方を上側起立壁６３Ａによって覆われているので、上端開口８２に進入した遊技球がＬＥＤ６２に衝突することを防止できる。
【００５８】
＜他の実施形態＞
本発明は、前記実施形態に限定されるものではなく、例えば、以下に説明するような実施形態も本発明の技術的範囲に含まれ、さらに、下記以外にも要旨を逸脱しない範囲内で種々変更して実施することができる。
（１）上記実施形態では、ＬＥＤ基板６４を板部材６３に対して斜めに取り付けて、ＬＥＤ６２の光を遊技領域Ｒ１の中央部分に集光するように構成されていたが、ＬＥＤ基板６４を板部材６３と平行に取り付けて、ＬＥＤ６２の光を前方に向けて真っ直ぐ照射するようにしてもよい。
【００５９】
（２）また、図１０に示すように、カバー体６１の内側で、ＬＥＤ６２の照射方向の前側に、ＬＥＤ６２の光のみを通すハーフミラー部材１００を備えた構成としてもよい。このようにすれば、ＬＥＤ基板６４の回路基板を遊技者側から隠すことができ、サイドランプ２２の見栄えがよくなる。
【００６０】
（３）上記実施形態では、サイドランプ２２に本発明を適用していたが、発光体を備え遊技領域に配設された他の装飾部材に適用してもよい。
【００６１】
（４）上記実施形態では、溝体６５が遊技盤１１の前面より後側に設けられていたが、ＬＥＤ６２より後側であれば、遊技盤１１の前面に設けてもよい。
【００６２】
（５）上記実施形態では、遊技球を受け止める上側起立壁６３Ａを板部材６３で構成していたが、カバー体６１で構成してもよい。
【００６３】
（６）上記実施形態では、サイドランプ２２内に、通過樋８０を１つ備えた構成であったが、複数備えた構成としてもよい。具体的には、図１１に示すように、板部材６３と取付体６０との間に区画壁１１０を設けて、板部材６３と区画壁１１０とで形成された第１の通過樋１１１と、区画壁１１０と取付体とで形成された第２の通過樋１１２とを備えた構成としてもよい。さらに、通過樋１１１，１１２の球入口及び球出口は、各通過樋１１１，１１２に共通な構成としてもよいし、図１１に示すように、球入口７６及び球出口７７の少なくとも何れか一方を、通過樋１１１，１１２ごとに別々に設けた構成としてもよい。
【図面の簡単な説明】
【図１】本発明の一実施形態に係るパチンコ遊技機の正面図
【図２】パチンコ遊技機の背面図
【図３】パチンコ遊技機の電気的構成を示すブロック図
【図４】サイドランプの斜視図
【図５】サイドランプの分解斜視図
【図６】サイドランプの側断面図
【図７】サイドランプの平断面図
【図８】サイドランプの正面図
【図９】保護部材を組み付けた状態の取付体の斜視図
【図１０】他の実施形態（２）におけるサイドランプの平断面図
【図１１】他の実施形態（６）におけるサイドランプの側断面図
【符号の説明】
１１…遊技盤
１２…ガイドレール
２２…サイドランプ（装飾部材）
６０…取付体
６１…カバー体（前面突出部）
６２…ＬＥＤ（発光体）
６３…板部材（保護部材）
６３Ａ…上側起立壁（受壁）
７５…電線（導電部材）
７８…電線挿通孔（貫通孔）
８０…通過樋
８１…入球部
８３…出球部
９０…凹所（装飾部材取付孔）
【図１】
2004147860.tif 000003
【図２】
2004147860.tif 000004
【図３】
2004147860.tif 000005
【図４】
2004147860.tif 000006
【図５】
2004147860.tif 000007
【図６】
2004147860.tif 000008
【図７】
2004147860.tif 000009
【図８】
2004147860.tif 000010
【図９】
2004147860.tif 000011
【図１０】
2004147860.tif 000012
【図１１】
2004147860.tif 000013